【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
複数種類の顔料インクと前記顔料インクで記録された画像を被覆するための処理液とを吐出可能な記録ヘッドを、記録媒体の単位領域に対して複数回走査させることにより、前記記録媒体に、前記顔料インクによる画像の記録と前記処理液による画像の被覆を行うインクジェット記録装置であって、
前記単位領域に対して、前記記録ヘッドの複数回の走査のそれぞれで前記記録ヘッドから前記顔料インクおよび前記処理液を吐出させるための吐出データを生成する生成手段と、
生成された前記吐出データに基づいて前記記録ヘッドから前記顔料インクおよび前記処理液を吐出させる吐出手段と、
を備え、
前記生成手段は、前記単位領域に対する前記顔料インクの吐出から前記処理液の吐出までの時間が、前記顔料インクによって画像が記録された単位領域に対する前記処理液の浸透速度に応じて異なるように、前記吐出データを生成することを特徴とするインクジェット記録装置。
【請求項２】
前記生成手段は、前記単位領域に対する前記顔料インクの吐出から前記処理液の吐出までの時間が、前記単位領域における前記顔料インクの記録Ｄｕｔｙに応じてさらに異なるように、前記吐出データを生成することを特徴とする請求項１に記載のインクジェット記録装置。
【請求項３】
前記生成手段は、前記顔料インクによって画像が記録された単位領域に対する前記処理液の浸透速度に応じて、前記単位領域に対する前記顔料インクの吐出が行われる走査から前記処理液の吐出が行われる走査までの走査の回数が異なるように、前記吐出データを生成することを特徴とする請求項１に記載のインクジェット記録装置。
【請求項４】
１回の走査においてドットの記録を許容する画素とドットの記録を許容しない画素とを定めたマスクパターンを複数用意し、
前記生成手段は、前記単位領域ごとに、前記複数のマスクパターンの中から前記浸透速度に応じた１つのマスクパターンを定めることにより、前記単位領域に対する前記顔料インクの吐出が行われる走査から前記処理液の吐出が行われる走査までの走査の回数が前記単位領域ごとに異なるように、前記吐出データを生成することを特徴とする請求項１に記載のインクジェット記録装置。
【請求項５】
前記生成手段は、前記単位領域が第１のグループ領域である場合における前記顔料インクの吐出から前記処理液の吐出までの時間を、前記単位領域が前記第１のグループ領域よりも前記処理液の浸透速度が遅い第２のグループ領域である場合における前記時間よりも長くするように、前記吐出データを生成することを特徴とする請求項１に記載のインクジェット記録装置。
【請求項６】
前記生成手段は、前記単位領域に対するＲＧＢの画像データから前記単位領域に対する前記処理液の浸透速度を判断することを特徴とする請求項１、３、４、５のいずれか１項に記載のインクジェット記録装置。
【請求項７】
前記顔料インクと前記処理液とを同一の走査により吐出させることを特徴とする請求項１乃至６のいずれか１項に記載のインクジェット記録装置。
【請求項８】
前記顔料インクと前記処理液とを異なる走査により吐出させることを特徴とする請求項１乃至６のいずれか１項に記載のインクジェット記録装置。
【請求項９】
前記顔料インクとは、自己分散型顔料を含むもの若しくは高分子分散剤により分散した顔料を含むものであることを特徴とする請求項１乃至８のいずれか１項に記載のインクジェット記録装置。
【請求項１０】
前記処理液とは、自己分散型顔料を含むもの若しくは高分子分散剤により分散した顔料を含むものであることを特徴とする請求項１乃至８のいずれか１項に記載のインクジェット記録装置。
【請求項１１】
前記処理液とは、無色であることを特徴とする請求項１乃至９のいずれか１項に記載のインクジェット記録装置。
【請求項１２】
前記処理液とは、有色であることを特徴とする請求項１乃至９のいずれか１項に記載のインクジェット記録装置。
【請求項１３】
複数種類の顔料インクと前記顔料インクで記録された画像を被覆するための処理液とを吐出可能な記録ヘッドを、記録媒体の単位領域に対して複数回走査させることにより、前記記録媒体に、前記顔料インクによる画像の記録と前記処理液による画像の被覆とを行うインクジェット記録方法であって、
前記単位領域に対して、前記記録ヘッドの複数回の走査のそれぞれで前記記録ヘッドから前記顔料インクおよび前記処理液を吐出させるための吐出データを生成する生成工程と、
生成された前記吐出データに基づいて前記記録ヘッドから前記顔料インクおよび前記処理液を吐出させる吐出工程と、
を備え、
前記生成工程にて、前記単位領域に対する前記顔料インクの吐出から前記処理液の吐出までの時間が、前記顔料インクによって画像が記録された単位領域に対する前記処理液の浸透速度に応じて異なるように、前記吐出データが生成されることを特徴とするインクジェット記録方法。
【請求項１４】
前記生成工程にて、前記単位領域に対する前記顔料インクの吐出から前記処理液の吐出までの時間が、前記単位領域における前記顔料インクの記録Ｄｕｔｙに応じてさらに異なるように、前記吐出データが生成されることを特徴とする請求項１３に記載のインクジェット記録方法。
【請求項１５】
前記生成工程にて、前記顔料インクによって画像が記録された単位領域に対する前記処理液の浸透速度に応じて、前記単位領域に対する前記顔料インクの吐出が行われる走査から前記処理液の吐出が行われる走査までの走査の回数が異なるように、前記吐出データが生成されることを特徴とする請求項１３に記載のインクジェット記録方法。
【請求項１６】
１回の走査においてドットの記録を許容する画素とドットの記録を許容しない画素とを定めたマスクパターンが複数用意されており、
前記生成工程にて、前記単位領域ごとに、前記複数のマスクパターンの中から前記浸透速度に応じた１つのマスクパターンを定めることにより、前記単位領域に対する前記顔料インクの吐出が行われる走査から前記処理液の吐出が行われる走査までの走査の回数が前記単位領域ごとに異なるように、前記吐出データが生成されることを特徴とする請求項１３に記載のインクジェット記録方法。
【請求項１７】
前記生成工程にて、前記単位領域が第１のグループ領域である場合における前記顔料インクの吐出から前記処理液の吐出までの時間を、前記単位領域が前記第１のグループ領域よりも前記処理液の浸透速度が遅い第２のグループ領域である場合における前記時間よりも長くするように、前記吐出データが生成されることを特徴とする請求項１３に記載のインクジェット記録方法。
【請求項１８】
前記生成工程にて、前記単位領域に対するＲＧＢの画像データから前記単位領域に対する前記処理液の浸透速度が判断されることを特徴とする請求項１３、１５、１６、１７のいずれか１項に記載のインクジェット記録方法。
【請求項１９】
前記顔料インクと前記処理液とを同一の走査により吐出させることを特徴とする請求項１３乃至１８のいずれか１項に記載のインクジェット記録方法。
【請求項２０】
前記顔料インクと前記処理液とを異なる走査により吐出させることを特徴とする請求項１３乃至１８のいずれか１項に記載のインクジェット記録方法。
【請求項２１】
前記顔料インクとは、自己分散型顔料を含むもの若しくは高分子分散剤により分散した顔料を含むものであることを特徴とする請求項１３乃至２０のいずれか１項に記載のインクジェット記録方法。
【請求項２２】
前記処理液とは、自己分散型顔料を含むもの若しくは高分子分散剤により分散した顔料を含むものであることを特徴とする請求項１３乃至２０のいずれか１項に記載のインクジェット記録方法。
【請求項２３】
前記処理液とは、無色であることを特徴とする請求項１３乃至２０のいずれか１項に記載のインクジェット記録方法。
【請求項２４】
前記処理液とは、有色であることを特徴とする請求項１３乃至２０のいずれか１項に記載のインクジェット記録方法。